(57)【要約】【課題】指定された過去の期間における複数の時間において、電力情報が変化する様子を映像として再生することができる表示システムのデータ処理装置を提供することである。【解決手段】表示システム１０は、電力が管理対象とされる場所の電力情報を取得して電力情報と時刻とを関連付けて記録装置２９に記録し、記録装置２０に記録された電力情報と時刻とに基づいて、指定された過去の期間内の複数の時刻における電力情報の変化の様子を示す電力情報変化映像を再生するための電力情報変化映像用データを生成して、電力情報変化映像を再生する電力情報映像表示部４１６を有する表示装置４０に電力情報変化映像用データを出力する。【選択図】図１
2012080601.tif 000002
【特許請求の範囲】
【請求項１】
電力が管理対象とされる場所の電力情報を取得して前記電力情報と時刻とを関連付けて記録装置に記録し、
前記記録装置に記録された前記電力情報と前記時刻とに基づいて、指定された過去の期間内の複数の時刻における前記電力情報の変化の様子を示す電力情報変化映像を再生するための電力情報変化映像用データを生成して、前記電力情報変化映像を再生する電力情報映像表示部を有する表示装置に前記電力情報変化映像用データを出力することを特徴とする表示システムのデータ処理装置。
【請求項２】
請求項１に記載の表示システムのデータ処理装置において、
前記電力情報変化映像用データは、
前記場所の電力経路を含む見取り図データと、
前記電力経路に沿って予め定められた表示形式で前記電力情報の変化の様子を表示する表示データと、
を有することを特徴とする表示システムのデータ処理装置。
【請求項３】
請求項２に記載の表示システムのデータ処理装置において、
前記表示データは、
前記電力が流れる方向を矢印で示すことを特徴とする表示システムのデータ処理装置。
【請求項４】
請求項２または請求項３に記載の表示システムのデータ処理装置において、
前記表示データは、
前記電力の量を表示線の太さで示すことを特徴とする表示システムのデータ処理装置。
【請求項５】
請求項２から請求項４のいずれか１に記載の表示システムのデータ処理装置において、
前記電力は、
光を電力に変換する光電変換装置によって発電される発電電力と、
電力会社から供給される系統電力と、
前記発電電力と前記系統電力とによって充電された二次電池から放電される放電電力と、
を有することを特徴とする表示システムのデータ処理装置。
【請求項６】
請求項５に記載の表示システムのデータ処理装置において、
前記表示データは、
前記電力の種類をそれぞれ異なる色で示すことを特徴とする表示システムのデータ処理装置。
【請求項７】
請求項１から請求項６のいずれか１に記載の表示システムのデータ処理装置において、
前記データ処理装置は、
前記場所の周辺の気象情報を取得して前記気象情報と前記時刻とを関連付けて前記記録装置に記録し、
前記記録装置に記録された前記気象情報と前記時刻とに基づいて、前記過去の期間内の前記複数の時刻における前記気象情報の変化の様子を示す気象情報変化映像を再生するための気象情報変化映像用データを生成する気象情報データ処理部を有し、
前記電力情報変化映像の再生に連動して、前記気象情報変化映像を再生する気象情報映像表示部を有する前記表示装置に前記気象情報変化映像用データを出力することを特徴とする表示システムのデータ処理装置。
【請求項８】
請求項１から請求項７のいずれか１に記載の表示システムのデータ処理装置において、
前記データ処理装置は、
前記場所内での二酸化炭素削減情報を取得して前記二酸化炭素削減情報と前記時刻とを関連付けて前記記録装置に記録し、
前記記録装置に記録された前記二酸化炭素削減情報と前記時刻とに基づいて、前記過去の期間内の前記複数の時刻における前記二酸化炭素削減情報の変化の様子を示す二酸化炭素削減情報変化映像を再生するための二酸化炭素削減情報変化映像用データを生成する二酸化炭素削減情報データ処理部を有し、
前記電力情報変化映像の再生に連動して、前記二酸化炭素削減情報変化映像を再生する二酸化炭素削減情報映像表示部を有する前記表示装置に前記二酸化炭素削減情報変化映像用データを出力することを特徴とする表示システムのデータ処理装置。
【請求項９】
請求項５から請求項８のいずれか１に記載の表示システムのデータ処理装置において、
前記データ処理装置は、
前記光電変換装置の発電量と前記光電変換装置を撮影する光電変換装置撮影部が撮影した光電変換装置映像とを取得して、前記発電量と前記光電変換装置映像と前記時刻とを関連付けて前記記録装置に記録し、
前記記録装置に記録された前記発電量と前記光電変換装置映像と前記時刻とに基づいて、前記過去の期間内の前記複数の時刻における前記発電量と前記光電変換装置映像の変化の様子を示す発電情報変化映像を再生するための発電情報変化映像用データを生成する発電情報データ処理部を有し、
前記電力情報変化映像の再生に連動させて、前記発電情報変化映像を再生する発電情報映像表示部を有する前記表示装置に前記発電情報変化映像用データを出力することを特徴とする表示システムのデータ処理装置。
【請求項１０】
請求項５から請求項９のいずれか１に記載の表示システムのデータ処理装置において、
前記データ処理装置は、
前記二次電池の蓄電量と前記二次電池を撮影する二次電池撮影部が撮影した二次電池映像とを取得して、前記蓄電量と前記二次電池映像と前記時刻とを関連付けて前記記録装置に記録し、
前記記録装置に記録された前記蓄電量と前記二次電池映像と前記時刻とに基づいて、前記過去の期間内の前記複数の時刻における前記蓄電量と前記二次電池映像の変化の様子を示す蓄電情報変化映像を再生するための蓄電情報変化映像用データを生成する蓄電情報データ処理部を有し、
前記電力情報変化映像の再生に連動して、前記蓄電情報変化映像を再生する蓄電情報映像表示部を有する前記表示装置に蓄電情報変化映像用データを出力することを特徴とする表示システムのデータ処理装置。
【請求項１１】
請求項５から請求項１０のいずれか１に記載の表示システムのデータ処理装置において、
前記データ処理装置は、
前記場所に設けられる居室内の室内映像に基づいて前記居室内の照明を制御する照明制御部から出力される照明制御情報を取得して、前記照明制御情報と前記時刻とを関連付けて前記記録装置に記録し、
前記記録装置に記録された前記照明制御情報と前記時刻とに基づいて、前記過去の期間内の前記複数の時刻における前記照明制御情報の変化の様子を示す照明制御情報変化映像を再生するための照明制御情報変化映像用データを生成する照明制御情報データ処理部を有し、
前記電力情報変化映像の再生に連動して、前記照明制御情報変化映像を再生する照明制御情報映像表示部を有する前記表示装置に前記照明制御情報変化映像用データを出力することを特徴とする表示システムのデータ処理装置。
【発明の詳細な説明】
【技術分野】
【０００１】
本発明は、表示システムのデータ処理装置に係り、特に、電力情報を表示する表示部を備える表示システムのデータ処理装置に関する。
【背景技術】
【０００２】
近年、二次電池を利用することで、エネルギの有効活用を行うことが考えられている。例えば、環境に優しいクリーンエネルギとして太陽電池モジュールの開発が盛んに行なわれているが、太陽光を電力に変換する太陽電池モジュールは蓄電機能を備えていないため、二次電池と組み合わせて使用されることがある。例えば、太陽電池モジュールにより発電される発電電力を一旦二次電池に充電して、外部負荷の要求電力等に応じて二次電池から放電する充放電制御によってエネルギの有効活用が行なわれている。また、上記の太陽電池モジュールにより発電される発電電力の他に、電力会社から供給される系統電力を当該二次電池に一旦充電して、外部負荷の要求電力等に応じ、当該二次電池から必要な電力を放電することでエネルギのさらなる有効活用が行われている。
【０００３】
本発明に関連する技術として、例えば、特許文献１には、風力発電機と太陽光発電機を有し、当該風力発電機と太陽光発電機の発電量を表示する発電量表示装置が開示されている。ここでは、当該風力発電機と太陽光発電機に切り替えスイッチを接続し、また切り替えスイッチに電力測定用素子を接続し、さらに電力測定用素子に記憶装置を接続し、風力発電機と太陽光発電機に接続した蓄電池に蓄電するとともに、記憶装置の信号を表示板に送信し表示するように構成したことが述べられている。
【先行技術文献】
【特許文献】
【０００４】
【特許文献１】特開２００５−３１８６６５公報
【発明の概要】
【発明が解決しようとする課題】
【０００５】
ところで、太陽電池モジュールによって発電される発電電力と、電力会社から供給される系統電力と、当該発電電力と系統電力を用いて充電された二次電池から放電される放電電力とが用いられる建物等において、これらの電力の電力量やこれらの電力が流れる方向等といった電力情報が時刻によって変化しているが、ユーザによって指定された過去の期間内の複数の時刻において、このような電力情報が変化する様子を映像として再生することが望まれることがある。
【０００６】
本発明の目的は、指定された過去の期間における複数の時間において、電力情報が変化する様子を映像として再生することができる表示システムのデータ処理装置を提供することである。
【課題を解決するための手段】
【０００７】
本発明に係る表示システムのデータ処理装置は、電力が管理対象とされる場所の電力情報を取得して電力情報と時刻とを関連付けて記録装置に記録し、記録装置に記録された電力情報と時刻とに基づいて、指定された過去の期間内の複数の時刻における電力情報の変化の様子を示す電力情報変化映像を再生するための電力情報変化映像用データを生成して、電力情報変化映像を再生する電力情報映像表示部を有する表示装置に電力情報変化映像用データを出力することを特徴とする。
【発明の効果】
【０００８】
上記構成の表示システムのデータ処理装置によれば、指定された過去の期間内の複数の時刻における電力情報の変化の様子を示す電力情報変化映像を表示装置において再生することができる。これにより、例えば、電力が用いられる建物における電力量等といった電力情報が時間的に変化する様子を一見して把握することができる。
【図面の簡単な説明】
【０００９】
【図１】本発明に係る実施の形態において、表示システムと、表示システムが設置される工場施設との関係を示す図である。
【図２】図１に示される工場施設を拡大し、工場施設を構成する各要素の配置関係を示す模式図である。
【図３】本発明に係る実施の形態において、表示装置の拡大図である。
【図４】本発明に係る実施の形態において、ＡＭ１時における工場施設の電力情報等に関する映像を表示している様子を示す図である。
【図５】本発明に係る実施の形態において、ＡＭ９時における工場施設の電力情報等に関する映像を表示している様子を示す図である。
【図６】本発明に係る実施の形態において、ＰＭ２時における工場施設の電力情報等に関する映像を表示している様子を示す図である。
【図７】本発明に係る実施の形態において、ＡＭ１時における工場施設の電力情報等に関する映像を表示している様子を示す図である。
【図８】本発明に係る実施の形態において、ＰＭ２時における工場施設の電力情報等に関する映像を表示している様子を示す図である。
【発明を実施するための形態】
【００１０】
以下に図面を用いて、本発明に係る実施の形態を詳細に説明する。以下では、二次電池は、リチウムイオン二次電池であるものとして説明するが、これ以外の充放電可能な蓄電池であってもよい。例えばニッケル水素二次電池、ニッケルカドミウム蓄電池、鉛蓄電池、金属リチウム二次電池等であってもよい。なお、以下では記録装置とデータ処理装置とは別々の構成要素として説明するが、もちろん、１つの制御装置に含めるものとしてもよい。
【００１１】
また、以下では、全ての図面において、同様の要素には同一の符号を付し、重複する説明を省略する。また、本文中の説明においては、必要に応じそれ以前に述べた符号を用いるものとする。
【００１２】
図１は、表示システム１０と表示システム１０が設置される工場施設１００との関係を示す図である。表示システム１０は、記録装置２０と、データ処理装置３０と、表示装置４０とを含んで構成される。表示システム１０は、工場施設１００の電力情報５０等に関する映像を表示する機能を有する。
【００１３】
図２は、図１に示される工場施設１００を構成する各要素の配置関係を示す模式図である。工場施設１００は、Ａ棟１０２と、Ｂ棟１０４と、Ｃ棟１０６と、Ｄ棟１０８と、Ｅ棟１１０と、Ｆ施設１１２と、電力経路１１４とを含んで構成される。
【００１４】
Ａ棟１０２は、太陽電池モジュール１０２ａと、負荷１０２ｂとを含む施設である。Ｂ棟１０４は、太陽電池モジュール１０４ａと、負荷１０４ｂとを含む施設である。Ｃ棟１０６は、太陽電池モジュール１０６ａと、負荷１０６ｂとを含む施設である。Ｄ棟１０８は、太陽電池モジュール１０８ａと、負荷１０８ｂと、リチウムイオン二次電池１０８ｃとを含む施設である。Ｅ棟１１０は、太陽電池モジュール１１０ａと、負荷１１０ｂと、リチウムイオン二次電池１１０ｃとを含む施設である。Ｆ施設１１２は、太陽電池モジュール１１２ａと、負荷１１２ｂと、リチウムイオン二次電池１１２ｃと、とを含む施設である。
【００１５】
太陽電池モジュール１０２ａ〜１１２ａは、太陽光を電力に変換する光電変換装置であり、それぞれが各施設の屋上等に設置されて発電している。
【００１６】
負荷１０２ｂ〜１１２ｂは、各施設において用いられる負荷であり、例えば、各施設の居室内を照らす照明、各施設の居室内の温度調節を行なう空調、パーソナルコンピュータ、コピー機等である。
【００１７】
ここで、太陽電池モジュール１０２ａで発電された発電電力は、主に、Ａ棟１０２内の負荷１０２ｂに用いられる。また、太陽電池モジュール１０４ａで発電された発電電力は、主に、Ｂ棟１０４内の負荷１０４ｂに用いられる。そして、太陽電池モジュール１０６ａで発電された発電電力は、主に、Ｃ棟１０６内の負荷１０６ｂに用いられる。また、太陽電池モジュール１０８ａで発電された発電電力は、主に、Ｄ棟１０８内の負荷１０８ｂに用いられる。そして、太陽電池モジュール１１０ａで発電された発電電力は、主に、Ｅ棟１１０内の負荷１１０ｂに用いられる。
【００１８】
また、負荷１１２ｂとしては、照明等の他に、例えば、電気自動車（図２参照）のバッテリが用いられることがある。そして、当該電気自動車のバッテリがＦ施設１１２の施設内において、太陽電池モジュール１１２ａにより発電された電力等を用いて充電される。
【００１９】
リチウムイオン二次電池１０８ｃ，１１０ｃ，１１２ｃは、炭素物質で構成された負極と、リチウムイオンが移動するための電解液と、リチウムイオンを可逆的に出し入れできる正極活物質とを含んで構成される二次電池である。リチウムイオン二次電池１０８ｃは、主に、太陽電池モジュール１０２ａ〜１１０ａにより、日照時間帯に発電された各発電電力がそれぞれ対応する各負荷１０２ｂ〜１１０ｂに供給される際に余った余剰電力を充電する蓄電池として機能する。リチウムイオン二次電池１１０ｃは、主に、電気代の安い深夜時間帯等において、電力会社の系統電力１２０を充電する蓄電池として機能する。リチウムイオン二次電池１１２ｃは、主に、太陽電池モジュール１１２ａにより、日照時間帯に発電された発電電力が対応する負荷１１２ｂに供給される際に余った余剰電力を充電する蓄電池として機能する。
【００２０】
電力経路１１４は、工場施設１００内の太陽電池モジュール１０２ａ〜１１２ａと、負荷１０２ｂ〜１１２ｂと、リチウムイオン二次電池１０８ｃ，１１０ｃ，１１２ｃと、電力会社から供給される系統電力１２０との間で電力をやり取りするためにネットワーク構築された電力線である。
【００２１】
再び図１に戻って、記録装置２０は、データ処理装置３０の出力に基づいて、様々なデータを記録するメモリ装置である。
【００２２】
データ処理装置３０は、電力制御部１１６と、電力情報データ処理部３０２と、気象情報データ処理部３０４と、二酸化炭素削減情報データ処理部３０６と、発電情報データ処理部３０８と、蓄電情報データ処理部３１０と、照明制御情報データ処理部３１２と、グラフデータ処理部３１４とを含んで構成される。データ処理装置３０は、メンテナンス等を考慮した場所に設置することができる。なお、データ処理装置３０の各構成は、ハードウェアで構成してもよく、ソフトウェアで構成することも可能である。
【００２３】
電力制御部１１６は、工場施設１００内の太陽電池モジュール１０２ａ〜１１２ａと、負荷１０２ｂ〜１１２ｂと、リチウムイオン二次電池１０８ｃ，１１０ｃ，１１２ｃと、系統電力１２０との間で電力をやり取りするための電力管理制御を行う機能を有している。また、電力制御部１１６は、管理対象である工場施設１００内の電力計等の各種計器から太陽電池モジュール１０２ａ〜１１２ａ、リチウムイオン二次電池１０８ｃ，１１０ｃ，１１２ｃ、系統電力１２０の各電力の電力量や各電力の流れる場所や各電力の流れる方向や位置情報といった電力に関する情報を取得し、さらに図示しない太陽電池モジュール用カメラが撮影する太陽電池モジュール１０２ａ〜１１２ａの映像、図示しない二次電池用カメラが撮影するリチウムイオン二次電池１０８ｃ，１１０ｃ，１１２ｃの映像を取得し、取得したそれらの情報に基づいて、電力情報５０，二酸化炭素削減情報５４，発電情報５６，省エネルギ情報６２，電力需給情報６４を演算等して表示システム１０に伝送している。
【００２４】
電力制御部１１６の電力制御の一例として、例えば、日照時間帯は、太陽電池モジュール１０２ａ〜１１２ａによって発電された各発電電力をそれぞれ対応する各負荷１０２ｂ〜１１２ｂに供給させ、また必要に応じて太陽電池モジュール１０２ａ〜１１２ａにより発電された発電電力をリチウムイオン二次電池１０８ｃ，１１２ｃに対して充放電させる。また、電力制御部１１６は、深夜時間帯において、電力会社の系統電力１２０をリチウムイオン二次電池１１０ｃに充電しておき、各負荷１０２ｂ〜１１２ｂの要求電力に対して、必要に応じてリチウムイオン二次電池１１０ｃを放電させ、その放電電力を各負荷１０２ｂ〜１１２ｂに供給させる。
【００２５】
電力情報データ処理部３０２は、工場施設１００内の電力情報５０を受け取って、電力情報５０と時刻とを関連付けて記録装置２０に記録する機能を有する。電力情報５０としては、例えば、ある１日の時刻において、工場施設１００の電力経路１１４を流れる電力に関する情報であり、具体的には電力の種類（太陽電池モジュール１０２ａ〜１１２ａにより発電された発電電力、電力会社から供給される系統電力１２０、リチウムイオン二次電池１０８ｃ，１１０ｃ，１１２ｃからの放電電力）や、これらの電力の電力量や、これらの電力が流れる方向や電力に関する位置情報といった情報が含まれている。
【００２６】
また、電力情報データ処理部３０２は、後述するプレイバック指令８０がない通常時は、受け取った電力情報５０に基づいて、現在の電力情報５０の様子を示す映像を表示するための電力情報映像用データを生成し、当該電力情報映像用データを表示装置４０の電力情報映像表示部４１６に対して出力する機能を有する。そして、電力情報データ処理部３０２は、ユーザがプレイバック表示して確認を望み、ユーザによって指定された過去の期間に関する設定情報が含まれたプレイバック指令８０を受け取ったときは、記録装置２０に記録された電力情報５０と時刻とに基づいて、プレイバック指令８０に含まれた上述の過去の期間内の複数の時刻における電力情報５０の変化の様子を示す電力情報変化映像を再生するための電力情報変化映像用データを生成する機能を有する。そして、当該電力情報変化映像用データを表示装置４０の電力情報映像表示部４１６に対して出力する機能を有する。なお、ユーザは上記過去の期間を指定するとともに、上記過去の期間内の複数の時刻についても指定することができる。
【００２７】
ここで、電力情報映像用データと電力情報変化映像用データは、図２に示されるような工場施設１００（電力管理される場所）の見取り図データと、電力情報５０に対応した太線（表示線）が見取り図に示される電力経路１１４に沿うように表示される表示データを有している。なお、表示データの太線の太さは、電力量に対応しており、表示データの太線に含まれる矢印は、電力が流れる方向を示している。また、表示データの太線の色は、電力の種類に対応しており、具体的には、例えば、太陽電池モジュール１０２ａ〜１１２ａにより発電された発電電力は緑色、電力会社から供給される系統電力１２０は灰色、リチウムイオン二次電池１０８ｃ，１１０ｃ，１１２ｃからの放電電力は橙色として予め設定されている。
【００２８】
気象情報データ処理部３０４は、図示しない気象情報観測装置等から伝送される工場施設１００の周辺の気象情報５２を受け取って、気象情報５２と時刻とを関連づけて記録装置２０に記録する機能を有する。気象情報５２としては、工場施設１００の周辺の空の状態を撮影する気象情報観測用カメラが撮影した映像や、晴れ・曇り・雨等の天候や温度・湿度の状態や風速等といった情報が含まれている。
【００２９】
また、気象情報データ処理部３０４は、プレイバック指令８０がない通常時は、受け取った気象情報５２に基づいて、現在の気象情報５２の様子を示す映像のための気象情報映像用データを生成し、当該気象情報映像用データを表示装置４０の気象情報映像表示部４０８に対して出力する機能を有する。気象情報データ処理部３０４は、上記プレイバック指令８０を受け取ったときは、記録装置２０に記録された気象情報５２と時刻とに基づいて、プレイバック指令８０に含まれた上述の過去の期間内の複数の時刻における気象情報５２の変化の様子を示す気象情報変化映像を再生するための気象情報変化映像用データを生成する機能を有する。そして、上述の電力情報データ処理部３０２によって電力情報変化映像用データが電力情報映像表示部４１６に対して出力されるタイミングに同期して、当該気象情報変化映像用データを表示装置４０の気象情報映像表示部４０８に対して出力する機能を有する。
【００３０】
二酸化炭素削減情報データ処理部３０６は、工場施設１００における二酸化炭素削減情報５４を受け取って、二酸化炭素削減情報５４と時刻とを関連付けて記録装置２０に記録する機能を有する。二酸化炭素削減情報５４は、電力会社から供給される系統電力１２０のみを終日利用する場合に比べて、太陽電池モジュール１０２ａ〜１１２ａにより発電された発電電力やリチウムイオン二次電池１０８ｃ，１１０ｃ，１１２ｃからの放電電力等を利用することで、工場施設１００内でどの程度二酸化酸素が削減されているかを示す情報が含まれている。
【００３１】
また、二酸化炭素削減情報データ処理部３０６は、プレイバック指令８０がない通常時は、受け取った二酸化炭素削減情報５４に基づいて、現在の二酸化炭素削減情報５４の様子を示す映像のための二酸化炭素削減情報映像用データを生成し、当該二酸化炭素削減情報映像用データを表示装置４０の二酸化炭素削減情報映像表示部４０２に対して出力する機能を有する。二酸化炭素削減情報データ処理部３０６は、上記プレイバック指令８０を受け取ったときは、記録装置２０に記録された二酸化炭素削減情報５４と時刻とに基づいて、プレイバック指令８０に含まれた上述の過去の期間内の複数の時刻における二酸化炭素削減情報５４の変化の様子を示す二酸化炭素削減情報変化映像を再生するための二酸化炭素削減情報変化映像用データを生成する機能を有する。そして、上述の電力情報データ処理部３０２によって電力情報変化映像用データが電力情報映像表示部４１６に対して出力されるタイミングに同期して、当該二酸化炭素削減情報変化映像用データを表示装置４０の二酸化炭素削減情報映像表示部４０２に対して出力する機能を有する。
【００３２】
発電情報データ処理部３０８は、太陽電池モジュール１０２ａ〜１１２ａの発電情報５６を受け取って、発電情報５６と時刻とを関連付けて記録装置２０に記録する機能を有する。太陽電池モジュール１０２ａ〜１１２ａの発電情報５６としては、太陽電池モジュール１０２ａ〜１１２ａの発電量の合計と、太陽電池モジュール１０２ａ〜１１２ａの中の１つの太陽電池モジュールを撮影する太陽電池モジュール用カメラが撮影した映像が含まれている。
【００３３】
また、発電情報データ処理部３０８は、プレイバック指令８０がない通常時は、受け取った発電情報５６に基づいて、現在の発電情報５６の様子を示す映像のための発電情報映像用データを生成し、当該発電情報映像用データを表示装置４０の発電情報映像表示部４０６に対して出力する機能を有する。発電情報データ処理部３０８は、上記プレイバック指令８０を受け取ったときは、記録装置２０に記録された発電情報５６と時刻とに基づいて、プレイバック指令８０に含まれた上述の過去の期間内の複数の時刻における発電情報５６の変化の様子を示す発電情報変化映像を再生するための発電情報変化映像用データを生成する機能を有する。そして、上述の電力情報データ処理部３０２によって電力情報変化映像用データが電力情報映像表示部４１６に対して出力されるタイミングに同期して、当該発電情報変化映像用データを表示装置４０の発電情報映像表示部４０６に対して出力する。
【００３４】
蓄電情報データ処理部３１０は、リチウムイオン二次電池１０８ｃ，１１０ｃ，１１２ｃの蓄電情報５８を受け取って、蓄電情報５８と時刻とを関連付けて記録装置２０に記録する機能を有する。リチウムイオン二次電池１０８ｃ，１１０ｃ，１１２ｃの蓄電情報５８としては、リチウムイオン二次電池１０８ｃ，１１０ｃ，１１２ｃの蓄電量の合計と、リチウムイオン二次電池１０８ｃ，１１０ｃ，１１２ｃの中の１つのリチウムイオン二次電池を撮影する二次電池用カメラが撮影した映像が含まれている。
【００３５】
また、蓄電情報データ処理部３１０は、プレイバック指令８０がない通常時は、受け取った蓄電情報５８に基づいて、現在の蓄電情報５８の様子を示す映像のための蓄電情報映像用データを作成し、当該蓄電情報映像用データを表示装置４０の蓄電情報映像表示部４０４に対して出力する機能を有する。蓄電情報データ処理部３１０は、上記プレイバック指令８０を受け取ったときは、記録装置２０に記録された蓄電情報５８と時刻とに基づいて、プレイバック指令８０に含まれた上述の過去の期間内の複数の時刻における蓄電情報５８の変化の様子を示す蓄電情報変化映像を再生するための蓄電情報変化映像用データを生成する機能を有する。そして、上述の電力情報データ処理部３０２によって電力情報変化映像用データが電力情報映像表示部４１６に対して出力されるタイミングに同期して、当該蓄電情報変化映像用データを表示装置４０の蓄電情報映像表示部４０４に対して出力する機能を有する。
【００３６】
照明制御情報データ処理部３１２は、図示しない照明制御部から伝送される照明制御情報６０を受け取って、照明制御情報６０と時刻とを関連付けて記録装置２０に記録する機能を有する。照明制御情報６０としては、工場施設１００のＡ棟１０２、Ｂ棟１０４、Ｃ棟１０６、Ｄ棟１０８、Ｅ棟１１０の各居室に設けられた居室用カメラが撮影する映像に映った人の情報等に基づいて各照明の制御が行われている様子が含まれている。例えば、図１の照明制御情報映像表示部４１０には、６Ｆの各居室の位置関係に対応した格子状の領域が表示されている。そして、ここでは、黒塗りされている領域は照明がついていることを意味しており、その他の領域は照明が消えていることを意味している。なお、図３に示されるように、各居室の照明に関する照明制御情報６０とともに各居室の空調に関する空調制御情報を表示させてもよい。
【００３７】
また、照明制御情報データ処理部３１２は、プレイバック指令８０がない通常時は、受け取った照明制御情報６０に基づいて、現在の照明制御情報６０の様子を示す映像のための照明制御情報映像用データを作成し、当該照明制御情報映像用データを表示装置４０の照明制御情報映像表示部４１０に対して出力する。照明制御情報データ処理部３１２は、上記プレイバック指令８０を受け取ったときは、記録装置２０に記録された照明制御情報６０と時刻とに基づいて、プレイバック指令８０に含まれた上述の過去の期間内の複数の時刻における照明制御情報６０の変化の様子を示す照明制御情報変化映像を再生するための照明制御情報変化映像用データを生成する。そして、上述の電力情報データ処理部３０２によって電力情報変化映像用データが電力情報映像表示部４１６に対して出力されるタイミングに同期して、当該照明制御情報変化映像用データを表示装置４０の照明制御情報映像表示部４１０に対して出力する。
【００３８】
グラフデータ処理部３１４は、Ｄ棟１０８における省エネルギ情報６２（例えば、二酸化炭素の削減量）を受け取って、省エネルギ情報６２を記録装置２０に記録し、予め定められた期間内における省エネルギ情報６２の変化状態を示す省エネルギグラフデータを生成して、管理棟省エネルギグラフ表示部４１２に出力する機能を有する。また、グラフデータ処理部３１４は、Ｄ棟１０８における電力需給情報６４を受け取って、電力需給情報６４を記録装置２０に記録し、予め定められた期間内における電力需給情報６４の変化状態を示す電力需給グラフデータを生成して、管理棟電力需給グラフ表示部４１４に出力する機能を有する。
【００３９】
図３は、表示装置４０の拡大図である。表示装置４０は、二酸化炭素削減情報映像表示部４０２と、蓄電情報映像表示部４０４と、発電情報映像表示部４０６と、気象情報映像表示部４０８と、照明制御情報映像表示部４１０と、管理棟省エネルギグラフ表示部４１２と、管理棟電力需給グラフ表示部４１４と、電力情報映像表示部４１６とを含んで構成される。表示装置４０は、工場施設１００のエントランス等、ユーザが見易い場所等に設置されている。
【００４０】
二酸化炭素削減情報映像表示部４０２は、二酸化炭素削減情報データ処理部３０６によって出力された二酸化炭素削減情報映像用データあるいは二酸化炭素削減情報変化映像用データに基づいて、二酸化炭素削減情報映像あるいは二酸化炭素削減情報変化映像を表示する機能を有する。
【００４１】
蓄電情報映像表示部４０４は、蓄電情報データ処理部３１０によって出力された蓄電情報映像用データあるいは蓄電情報変化映像用データに基づいて、蓄電情報映像あるいは蓄電情報変化映像を表示する機能を有する。
【００４２】
発電情報映像表示部４０６は、発電情報データ処理部３０８によって出力された発電情報映像用データあるいは発電情報変化映像用データに基づいて、発電情報映像あるいは発電情報変化映像を表示する機能を有する。
【００４３】
気象情報映像表示部４０８は、気象情報データ処理部３０４によって出力された気象情報映像用データあるいは気象情報変化映像用データに基づいて、気象情報映像あるいは気象情報変化映像を表示する機能を有する。
【００４４】
照明制御情報映像表示部４１０は、照明制御情報データ処理部３１２によって出力された照明制御情報映像用データあるいは照明制御情報変化映像用データに基づいて、照明制御情報映像あるいは照明制御情報変化映像を表示する機能を有する。
【００４５】
管理棟省エネルギグラフ表示部４１２は、グラフデータ処理部３１４によって出力された省エネルギグラフデータに基づいて、省エネルギグラフを表示する機能を有する。
【００４６】
管理棟電力需給グラフ表示部４１４は、グラフデータ処理部３１４によって出力された電力需給グラフデータに基づいて、電力需給グラフを表示する機能を有する。
【００４７】
電力情報映像表示部４１６は、電力情報データ処理部３０２によって出力された電力情報映像用データあるいは電力情報変化映像用データに基づいて、電力情報映像あるいは電力情報変化映像を表示する機能を有する。
【００４８】
上記構成の表示システム１０の動作について説明する。ユーザからのプレイバック指令８０がない状態、換言すれば、通常時は、図３に示されるように、表示装置４０の各表示部においてそれぞれの映像が表示されている。このとき、管理棟省エネルギグラフ表示部４１２と管理棟電力需給グラフ表示部４１４を除いた二酸化炭素削減情報映像表示部４０２、蓄電情報映像表示部４０４、発電情報映像表示部４０６、気象情報映像表示部４０８、照明制御情報映像表示部４１０、電力情報映像表示部４１６では各情報に関する映像がリアルタイムで表示されている。
【００４９】
そして、ユーザが過去の期間内の複数の時刻における電力情報等に関する映像について、プレイバック表示させることを希望し、ユーザ等の操作によりプレイバック指令８０が設定された場合には、二酸化炭素削減情報映像表示部４０２，蓄電情報映像表示部４０４，発電情報映像表示部４０６，気象情報映像表示部４０８，照明制御情報映像表示部４１０，電力情報映像表示部４１６では、プレイバック指令８０に含まれる上述の過去の期間内の複数の時刻において、それぞれの情報が変化している様子を映像として再生表示（プレイバック表示）する。以下では、説明を簡単にするために、過去の期間内の複数の時刻のうちの特定の時刻のみをピックアップして再生表示されている様子を説明する。具体的には、ある１日のＡＭ１時と、ＡＭ９時と、ＰＭ２時における電力情報等に関する映像が表示装置４０によって表示される様子を図４〜図６において示す。
【００５０】
図４は、ＡＭ１時において、工場施設１００の電力情報等に関する映像を表示している様子を示す図である。ここで、ＡＭ１時は、いわゆる深夜時間帯であり、この時刻は、通常、太陽電池モジュール１０２ａ〜１１２ａによって発電されないため、図４には太陽電池モジュール１０２ａ〜１１２ａによって発電された発電電力が表示されていない。また、この時刻は、電力会社から供給される系統電力１２０をリチウムイオン二次電池１１０ｃに充電しているため、図４には系統電力１２０が流れる様子が灰色の太線で示されている。そして、この太線に含まれる矢印の向きが電力の流れる方向を示している。また、この太線の太さは系統電力１２０の電力量の大きさに対応している。なお、この時刻は、工場施設１００の負荷１０２ｂ〜１１２ｂは、稼動しておらずリチウムイオン二次電池１０８ｃ，１１０ｃ，１１２ｃからの放電電力が用いられることもないため、当該放電電力も表示されていない。
【００５１】
図５は、ＡＭ９時において、工場施設１００の電力情報等の映像を表示している様子を示す図である。ここで、ＡＭ９時は、工場施設１００で働く従業員の就業開始時間帯であり、負荷１０２ｂ〜１１２ｂが稼動している時間帯である。そして、この時刻は、太陽が昇り始めて、太陽電池モジュール１０２ａ〜１１２ａにおける発電量が増え始める時刻である。このとき、太陽電池モジュール１０２ａ〜１１２ａによって発電された発電電力が各負荷１０２ｂ〜１１２ｂに供給され、図５には発電電力が流れる様子が緑色の太線で示されている。そして、このとき必要に応じてリチウムイオン二次電池１１０ｃから放電された放電電力が各負荷１０２ｂ〜１１２ｂに供給される。この場合、リチウムイオン電池１１０ｃから各負荷１０２ｂ〜１１２ｂへの放電電力をそのまま正確に矢印を表示すると、複数の矢印が重なって表示されてしまう。このため、図５では、橙色の太線をリチウムイオン二次電池１１０ｃから中央部７に向かって表示することで、リチウムイオン電池１１０ｃから各負荷１０２ｂ〜１１２ｂへの放電電力が流れている様子を表すものとしている。ここで、上記太線のそれぞれについて、各太線に含まれる矢印の向きが電力の流れる方向を示し、各太線の太さは各電力量の大きさに対応している。なお、この時刻は、太陽電池モジュール１０２ａ〜１１２ａの発電電力やリチウムイオン二次電池１１０ｃからの放電電力によって、各負荷１０２ｂ〜１１２ｂの要求電力が十分に満たされているため、電力会社からの系統電力１２０は表示されていない。
【００５２】
図６は、ＰＭ２時において、工場施設１００の電力情報等の映像を表示している様子を示す図である。ここで、ＰＭ２時は、太陽光の日差しが非常に強い時間帯である。そして、この時刻は、太陽電池モジュール１０２ａ〜１１２ａにおける発電量が最も大きくなる時刻である。このとき、太陽電池モジュール１０２ａ〜１１２ａによって発電された発電電力がそれぞれ対応する負荷１０２ｂ〜１１２ｂに供給され、図６には、発電電力が流れる様子が緑色の太線で示されている。ここで、上記太線について、太線に含まれる矢印の向きが電力の流れる方向を示し、太線の太さは電力量の大きさに対応している。なお、この時刻は、太陽電池モジュール１０２ａ〜１１２ａの発電電力によって、各負荷１０２ｂ〜１１２ｂの要求電力が十分に満たされているため、リチウムイオン二次電池１０８ｃ，１１０ｃ，１１２ｃからの放電電力や電力会社からの系統電力１２０は表示されていない。
【００５３】
また、図４〜図６に示されるように、時刻がＡＭ１時、ＡＭ９時、ＰＭ２時と変わったときに電力情報５０が変化した様子が電力情報変化映像として電力情報映像表示部４１６に再生されることに連動して、二酸化炭素削減情報映像表示部４０２，蓄電情報映像表示部４０４，発電情報映像表示部４０６，気象情報映像表示部４０８，照明制御情報映像表示部４１０において、時刻がＡＭ１時、ＡＭ９時、ＰＭ２時と変わったときに、それぞれ、気象情報５２，二酸化炭素削減情報５４，発電情報５６，蓄電情報５８，照明制御情報６０が変化した様子が気象情報変化映像，二酸化炭素削減情報変化映像，発電情報変化映像，蓄電情報変化映像，照明制御情報変化映像として再生される。これにより、ユーザは表示装置４０を見ることで、プレイバック表示させることを望む過去の期間において、工場施設１００の電力情報５０，気象情報５２，二酸化炭素削減情報５４，発電情報５６，蓄電情報５８，照明制御情報６０が時間的に変化する様子を一見して把握することができる。
【００５４】
次に、表示システム１０の変形例について、図７，８を用いて説明する。表示システム１０の変形例と表示システム１０の相違は表示する工場施設１００の見取り図データのみであるため、その相違点を中心に説明する。表示システム１０の変形例が表示する工場施設１００の見取り図データ（図７，８参照）と、図４〜６の見取り図データとの相違は、図４〜６では電力経路１１４を示す細線上に、矢印を重ねて電力の向き等を表示しているが、図７，８では、電力経路を示す太線１１４ａの内部を移動する移動データ１１４ｂで電力が流れている様子を表示している点である。なお、電力経路に流れる電力が発電電力であるときは、太線１１４ａを黄緑色で表示し、当該発電電力が流れている様子は、薄黄緑色で表示された移動データ１１４ｂが移動している様子によって表示する。また、電力経路に流れる電力が系統電力であるときは、太線１１４ａを青色で表示し、当該系統電力が流れている様子は、薄青色で表示された移動データ１１４ｂが移動している様子によって表示する。
【００５５】
そして、ユーザが過去の期間内の複数の時刻における電力情報等に関する映像について、プレイバック表示させることを希望し、ユーザ等の操作によりプレイバック指令８０が設定された場合には、二酸化炭素削減情報映像表示部４０２，蓄電情報映像表示部４０４，発電情報映像表示部４０６，気象情報映像表示部４０８，照明制御情報映像表示部４１０，電力情報映像表示部４１６では、プレイバック指令８０に含まれる上述の過去の期間内の複数の時刻において、それぞれの情報が変化している様子を映像として再生表示（プレイバック表示）する。以下では、説明を簡単にするために、過去の期間内の複数の時刻のうちの特定の時刻のみをピックアップして再生表示されている様子を説明する。具体的には、ある１日のＡＭ１時と、ＰＭ２時における電力情報等に関する映像が表示装置４０によって表示される様子を図７，図８において示す。
【００５６】
図７は、ＡＭ１時において、工場施設１００の電力情報等に関する映像を表示している様子を示す図である。ここで、上述したように、ＡＭ１時は、いわゆる深夜時間帯であり、この時刻は、通常、太陽電池モジュール１０２ａ〜１１２ａによって発電されないため、図７には太陽電池モジュール１０２ａ〜１１２ａによって発電された発電電力が表示されていない。具体的には、太陽電池モジュール１０２ａ〜１１２ａと中央部７とを結ぶ太線１１４ａが白色で表示され、それらの太線１１４ａの内部には移動データ１１４ｂは存在していない。また、この時刻は、電力会社から供給される系統電力１２０をリチウムイオン二次電池１１０ｃに充電しているため、図７には系統電力１２０が流れる様子が示されている。具体的には、系統電力１２０と中央部７を介してリチウムイオン二次電池１１０ｃと結ぶ太線１１４ａが青色で表示され、その内部を薄青色で表示される移動データ１１４ｂが系統電力１２０から中央部７を介してリチウムイオン二次電池１１０ｃに向かって移動している様子が表示されることで、系統電力１２０からの電力が流れている様子が示されている。
【００５７】
図８は、ＰＭ２時において、工場施設１００の電力情報等に関する映像を表示している様子を示す図である。ここで、上述したように、ＰＭ２時は、太陽光の日差しが非常に強い時間帯である。そして、この時刻は、上述したように、太陽電池モジュール１０２ａ〜１１２ａにおける発電量が最も大きくなる時刻である。このとき、図８には太陽電池モジュール１０２ａ〜１１２ａによって発電された発電電力が流れる様子が示される。具体的には、太陽電池モジュール１０２ａ〜１１２ａと中央部７とを結ぶ太線１１４ａが黄緑色で表示され、それらの太線１１４ａの内部を薄黄緑色で表示された移動データ１１４ｂがそれぞれ中央部７に向かって移動している様子が表示されることで、太陽電池モジュール１０２ａ〜１１２ａによって発電された発電電力が流れている様子が示されている。また、この時間帯は、系統電力１２０からの電力が供給されていないため、系統電力１２０と中央部７とを結ぶ太線１１４ａが白色で表示され、その太線１１４ａの内部には移動データ１１４ｂは存在していない。
【００５８】
また、図７，図８に示されるように、時刻がＡＭ１時、ＰＭ２時と変わったときに電力情報５０が変化した様子が電力情報変化映像として電力情報映像表示部４１６に再生されることに連動して、二酸化炭素削減情報映像表示部４０２，蓄電情報映像表示部４０４，発電情報映像表示部４０６，気象情報映像表示部４０８，照明制御情報映像表示部４１０において、時刻がＡＭ１時、ＰＭ２時と変わったときに、それぞれ、気象情報５２，二酸化炭素削減情報５４，発電情報５６，蓄電情報５８，照明制御情報６０が変化した様子が気象情報変化映像，二酸化炭素削減情報変化映像，発電情報変化映像，蓄電情報変化映像，照明制御情報変化映像として再生される。これにより、ユーザは表示装置４０を見ることで、プレイバック表示させることを望む過去の期間において、工場施設１００の電力情報５０，気象情報５２，二酸化炭素削減情報５４，発電情報５６，蓄電情報５８，照明制御情報６０が時間的に変化する様子を一見して把握することができる。
【符号の説明】
【００５９】
７  中央部、１０  表示システム、２０  記録装置、３０  データ処理装置、４０  表示装置、５０電力情報、５２  気象情報、５４  二酸化炭素削減情報、５６  発電情報、５８  蓄電情報、６０  照明制御情報、６２  省エネルギ情報、６４  電力需給情報、８０  プレイバック指令、１００  工場施設、１０２  Ａ棟、１０４  Ｂ棟、１０６  Ｃ棟、１０８  管理棟、１１０  蓄電池棟、１０２ａ，１０４ａ，１０６ａ，１０８ａ，１１０ａ，１１２ａ  太陽電池モジュール、１０２ｂ，１０４ｂ，１０６ｂ，１０８ｂ，１１０ｂ，１１２ｂ  負荷、１０８ｃ，１１０ｃ，１１２ｃ  リチウムイオン二次電池、１１４  電力経路、１１４ａ  太線、１１４ｂ  移動データ、１１６  電力制御部、１２０  系統電力、３０２  電力情報データ処理部、３０４  気象情報データ処理部、３０６  二酸化炭素削減情報データ処理部、３０８  発電情報データ処理部、３１０  蓄電情報データ処理部、３１２  照明制御情報データ処理部、３１４  グラフデータ処理部、４０２  二酸化炭素削減情報映像表示部、４０４  蓄電情報映像表示部、４０６  発電情報映像表示部、４０８  気象情報映像表示部、４１０  照明制御情報映像表示部、４１２  管理棟省エネルギグラフ表示部、４１４  管理棟電力需給グラフ表示部、４１６  電力情報映像表示部。
【図１】
2012080601.tif 000003
【図２】
2012080601.tif 000004
【図３】
2012080601.tif 000005
【図４】
2012080601.tif 000006
【図５】
2012080601.tif 000007
【図６】
2012080601.tif 000008
【図７】
2012080601.tif 000009
【図８】
2012080601.tif 000010